(57)【特許請求の範囲】
【請求項１】
箱状に形成した箱状樋の底壁と縦壁との入隅部における前記縦壁に排水用取付孔を開設し、該排水用取付孔に取付けて前記箱状樋に溜まった雨水等を排水するための横引き排水ドレン装置であって、
前記縦壁の内側に設置されるドレン本体部と、前記縦壁の外側に設置される支持板と、これらドレン本体部及び支持板を連結可能な固定ネジとから成り、
前記ドレン本体部は、縦断面略Ｌ状に形成され、前記縦壁内面に添接される縦片には、排水孔を開設し、この排水孔の周縁から外方に向けて、前記排水用取付孔を貫通する筒状の排水管差込筒部を突設すると共に、この排水管差込筒部の先端には、外周面にネジ山を形成したネジ部を突設してなり、
前記支持板は、前記ドレン本体部と略同形の縦断面略Ｌ状に形成され、前記縦壁外面に添接される縦片部には、前記排水管差込筒部を挿通する挿通孔を開設し、この挿通孔の周縁から外方に向けて、前記排水管差込筒部を挿通する環状の鍔部を突設してなり、
前記固定ネジは、筒状に形成され、内周面には、前記ネジ部のネジ山に螺着可能なネジ溝を形成してなり、
前記排水管差込筒部の外周上部、又は、支持板の挿通孔の内周上部の少なくとも一方には、前記ドレン本体部の取付け時に、該ドレイン本体部の全体を下方向に押圧するための傾斜部を形成したテーパー凸部を突設したことを特徴とする横引き排水ドレン装置。
【発明の詳細な説明】
【技術分野】
【０００１】
本発明は、箱状に形成した箱状樋の底壁と縦壁との入隅部における前記縦壁に排水用取付孔を開設し、該排水用取付孔に取付けて前記箱状樋に溜まった雨水等を排水するための横引き排水ドレン装置に関する。
【背景技術】
【０００２】
マンションの共通廊下やベランダ等（以下、「ベランダ等」と略する。）に発生する水は、一般に底壁の隅部に開設された排水口を通じて排水されるが、最近では、上方が開放された箱状樋を前記ベランダ等に設置し、前記箱状樋の底壁と縦壁との入隅部における前記縦壁に排水用取付孔を開設し、該排水用取付孔に取付けて前記箱状樋に溜まった雨水等を排水するための横引き排水ドレン装置が知られている（例えば、特許文献１参照。）。
【０００３】
図５は、このような従来の横引き排水ドレン装置２００を示す分解斜視図であり、図６（ａ）、（ｂ）及び図７（ｃ）、（ｄ）は、図５で示した横引き排水ドレン装置の取付け構造を示す縦断面図である。
【０００４】
すなわち、前記ベランダ等に、上方が開放された箱状に形成した箱状樋１００を設置して、この箱状樋１００の底壁１０１と縦壁１０２との入隅部１１０における縦壁１０２側に排水用取付孔１０３を開設し、この開設された排水用取付孔１０３に横引き排水ドレン装置２００を取付けて、前記ベランダ等に生じた水を排水するのである。
【０００５】
具体的には、横引き排水ドレン装置２００は、箱状樋１００の縦壁１０２内側に設置されるドレン本体部２０１と、箱状樋１００の縦壁１０２を介して該縦壁１０２の外側に設置される支持板２０２と、ドレン本体部２０１及び支持板２０２を挟着する固定ネジ２０３とで構成している。
【０００６】
そして、支持板２０２に開設した取付孔２１２を、排水用取付孔１０３の外側に重合すると共に、支持板２０２を底壁１０１及び縦壁１０２の外面に添接し、この重合した排水用取付孔１０３及び取付孔２１２に向けて、ドレン本体部２０１の外方に向けて突設した排水管差込筒部２１１を、縦壁１０２の内側から貫通する〔図６（ａ）参照。〕。
【０００７】
更に、この貫通された排水管差込筒部２１１に、固定ネジ２０３を排水管差込筒部２１１の先端から嵌挿して螺着すれば、図中右向き矢印で示すように、支持板２０２が縦壁１０２の外側から圧着すると共に、排水管差込筒部２１１が図中左向き矢印で示すように、外側に引っ張られて、ドレン本体部２０１が縦壁１０２の内側から圧着する〔図６（ｂ）、図７（ｃ）参照。〕。
【０００８】
このように、固定ネジ２０３を螺着すれば、ドレン本体部２０１及び支持板２０２が縦壁１０２を挟着した状態で取付けられ、横引き排水ドレン装置２００を箱状樋１００の排水用取付孔１０３に取付けできる〔図７（ｃ）参照。〕。
【０００９】
最後に、この取付けた横引き排水ドレン装置２００の固定ネジ２０３の後部に、排水パイプ３００等を内嵌して連結し、前記ベランダ等に生じた水Ｗを排水パイプ３００を通じて排水するのである〔図７（ｄ）参照。〕。
【特許文献１】特開２０００−３５２１５７（図３）
【発明の開示】
【発明が解決しようとする課題】
【００１０】
しかしながら、この横引き排水ドレン装置２００には、以下の問題があった。
【００１１】
すなわち、前述のようにして箱状樋１００の排水用取付孔１０３に横引き排水ドレン装置２００を取付けた場合、ドレン本体部２０１及び支持板２０２は、縦壁１０２を挟着する方向に圧着して取付けられているが、底壁１０１を挟着する方向である鉛直方向には圧着できなかった。
【００１２】
そのため、図７（ｄ）の拡大図に示すように、箱状樋１００の底壁１０１と、ドレン本体部２０１との接合部分、具体的には、ドレン本体部２０１が底壁１０１に接合する延設片２２１と、底壁１０１との圧着力が弱くなってしまい、この接合部分付近に溜まった水ｗが、僅かな隙間ｔを通じて、又は、毛細管現象によって、図中矢印に示すように、箱状樋１００の外部に漏れ出してしまうという危険があった。
【００１３】
本発明は、かかる課題を解決することを目的とするもので、固定ネジ２０３を螺着するだけで、ドレン本体部２０１及び支持板２０２が、縦壁１０２と共に底壁１０１も挟着して圧着し、箱状樋１００に溜まった水が漏れることを確実に防止できる横引き排水ドレン装置を提供する。
【課題を解決するための手段】
【００１４】
前記目的を達成するため、
本発明は、箱状に形成した箱状樋の底壁と縦壁との入隅部における前記縦壁に排水用取付孔を開設し、該排水用取付孔に取付けて前記箱状樋に溜まった雨水等を排水するための横引き排水ドレン装置であって、前記縦壁の内側に設置されるドレン本体部と、前記縦壁の外側に設置される支持板と、これらドレン本体部及び支持板を連結可能な固定ネジとから成り、前記ドレン本体部は、縦断面略Ｌ状に形成され、前記縦壁内面に添接される縦片には、排水孔を開設し、この排水孔の周縁から外方に向けて、前記排水用取付孔を貫通する筒状の排水管差込筒部を突設すると共に、この排水管差込筒部の先端には、外周面にネジ山を形成したネジ部を突設してなり、前記支持板は、前記ドレン本体部と略同形の縦断面略Ｌ状に形成され、前記縦壁外面に添接される縦片部には、前記排水管差込筒部を挿通する挿通孔を開設し、この挿通孔の周縁から外方に向けて、前記排水管差込筒部を挿通する環状の鍔部を突設してなり、前記固定ネジは、筒状に形成され、内周面には、前記ネジ部のネジ山に螺着可能なネジ溝を形成してなり、前記排水管差込筒部の外周上部、又は、支持板の挿通孔の内周上部の少なくとも一方には、前記ドレン本体部の取付け時に、該ドレイン本体部の全体を下方向に押圧するための傾斜部を形成したテーパー凸部を突設したことを特徴とする。
【発明の効果】
【００１５】
本発明によれば、排水管差込筒部の外周上部、又は、支持板の挿通孔の内周上部の少なくとも一方には、前記ドレン本体部の取付け時に、該ドレイン本体部の全体を下方向に押圧するための傾斜部を形成したテーパー凸部を突設しているため、前記排水管差込筒部の先端から固定ネジを嵌挿して螺着すれば、前記固定ネジが、前記支持板の鍔部先端に当接し、更に、前記固定ネジを螺着すれば、前記鍔部全体、すなわち、前記支持板全体を内方に向けて押圧する。
【００１６】
すると、前記支持板に開設された挿通孔が、前記テーパー凸部の傾斜部に沿って内方に移動するため、前記ドレン本体部を下方向に押圧して、ドレン本体部及び支持板が底壁を挟着して圧着できる。
【００１７】
このように、本発明によれば、固定ネジを螺着するだけで、ドレン本体部及び支持板が、縦壁だけでなく、底壁をも挟着して圧着することができ、箱状樋に溜まった水が漏れることを確実に防止できるのである。
【発明を実施するための最良の形態】
【００１８】
以下、本発明に係る横引き排水ドレン装置Ａを図面とともに説明する。
【実施例１】
【００１９】
図１は、本発明に係る横引き排水ドレン装置Ａの一実施例を示した分解斜視図であり、図２（ａ）、（ｂ）及び図３（ｃ）、（ｄ）は、図１で示した横引き排水ドレン装置Ａの取付け構造を示す縦断面図である。
【００２０】
本発明の横引き排水ドレン装置Ａは、ベランダ等に設置される上方が開放された箱状に形成した箱状樋Ｔの底壁Ｔ１と縦壁Ｔ２との入隅部Ｔ３における縦壁Ｔ２側に排水用取付孔Ｈを開設し、該排水用取付孔Ｈに取付けて前記箱状樋Ｔに溜まった雨水等を排水するものであって、縦壁Ｔ２の内側に設置されるドレン本体部１と、縦壁Ｔ２の外側に設置される支持板２と、これらドレン本体部１及び支持板２を連結可能な固定ネジ３と、より構成してなる。
【００２１】
ドレン本体部１は、縦断面略Ｌ状に形成され、縦壁Ｔ２内面に添接される縦片１１には、排水孔１２を開設し、この排水孔１２の周縁から外方に向けて、排水用取付孔Ｈに貫通する筒状の排水管差込筒部１３を突設すると共に、この排水管差込筒部１３の先端には、外周面にネジ山を形成したネジ部１３ａを突設してなる。
【００２２】
又、排水孔１２の上方には、格子状のゴミ除け部１２ａを形成して前記雨水以外の紙、木の葉等を堰き止めて、箱状樋Ｔに溜まった雨水等だけをスムーズに排水するようにしている。
【００２３】
支持板２は、ドレン本体部１と略同形の縦断面略Ｌ状に形成され、縦壁Ｔ２外面に添接される縦片部２１には、排水管差込筒部１３を挿通する挿通孔２１ａを開設し、この挿通孔２１ａの周縁から外方に向けて、排水管差込筒部１３を挿通する環状の鍔部２２を突設してなる。
【００２４】
固定ネジ３は、筒状に形成され、内周面には、ネジ部１３ａのネジ山に螺着可能なネジ溝３１を形成してなる。
【００２５】
本発明は、排水管差込筒部１３の外周上部、又は、支持板２の挿通孔２１ａの内周上部の少なくとも一方には、ドレン本体部１の取付け時に、該ドレイン本体部１の全体を下方向に押圧するための傾斜部４１を形成したテーパー凸部４を突設したことを特徴とする。
【００２６】
なお、本実施例では、排水管差込筒部１３の外周上部に、外方から内方に向けて上昇した傾斜部４１を有するテーパー凸部４を例示している。
【００２７】
以下、本発明に係る横引き排水ドレン装置Ａの取付構造について説明する。
【００２８】
先ず、支持板２に開設した挿通孔２１ａを、排水用取付孔Ｈの外側に重合すると共に、支持板２を底壁Ｔ１及び縦壁Ｔ２の外面に添接し、この重合した排水用取付孔Ｈ及び挿通孔２１ａに向けて、ドレン本体部１の外方に向けて突設した排水管差込筒部１３を、縦壁Ｔ１の内側から貫通する〔図２（ａ）参照。〕。
【００２９】
次に、この貫通された排水管差込筒部１３に、固定ネジ３を排水管差込筒部１３の先端に形成したネジ部１３ａから嵌挿して螺着すれば、図中矢印で示すように、固定ネジ３が、支持板２の鍔部２２先端に当接し、更に、固定ネジ３を螺着すれば、鍔部２２全体、すなわち、支持板２全体を内方に向けて押圧する〔図２（ｂ）参照。〕。
【００３０】
すると、支持板２に開設された挿通孔２１ａが、テーパー凸部４の傾斜部４１に沿って内方に移動するため、図３（ｃ）中の下向き矢印で示すように、ドレン本体部１の全体を下方向に押圧することとなる。
【００３１】
そのため、ドレン本体部１の横片１４が底壁Ｔ１を押圧し、この底壁Ｔ１を介して、ドレン本体部１の横片１４と、支持板２の横片部２３とが挟着し、ドレン本体部１及び支持板２が底壁Ｔ１を挟着して圧着するのである〔図３（ｃ）参照。〕。
【００３２】
又、同時に、支持板２が縦壁Ｔ２の外側から圧着すると共に、排水管差込筒部１３が外側に引っ張られるため、ドレン本体部１が縦壁Ｔ２の内側から圧着する〔図２（ｂ）、図３（ｃ）参照。〕。
【００３３】
最後に、この取付けた横引き排水ドレン装置Ａの支持板２の鍔部２２に、排水パイプ５等を外嵌して連結し、前記ベランダ等に生じた水Ｗを排水パイプ５を通じて排水するのである〔図３（ｄ）参照。〕。
【００３４】
このように本発明の横引き排水ドレン装置Ａによれば、固定ネジ３を螺着するだけで、ドレン本体部１及び支持板２が、箱状樋Ｔの入隅部Ｔ３における縦壁Ｔ２だけでなく、底壁Ｔ１をも挟着して圧着することができ、箱状樋Ｔに溜まった水Ｗが漏れることを確実に防止できるのである。
【実施例２】
【００３５】
図４（ａ）、（ｂ）は、本発明に係る横引き排水ドレン装置Ａの他の実施例を示した取付け構造を示す縦断面図である。
なお、図１〜図３と共通する部位には、同一の符号を付し、以下では、本実施例の特徴についてのみ説明する。
【００３６】
すなわち、図４（ａ）は、支持板２の挿通孔２１ａの内周上部に、箱状樋Ｔの縦壁Ｔ２の外方から内方に向けて下降した傾斜部４１’を有するテーパー凸部４’を例示したものである。
【００３７】
そのため、固定ネジ３を排水管差込筒部１３の先端に形成したネジ部１３ａから嵌挿して螺着すれば、固定ネジ３が、支持板２全体を内方に向けて押圧すると共に、支持板２の挿通孔２１ａの内周上部に設けたテーパー凸部４’の傾斜部４１’ に沿って、ドレン本体部１の排水管差込筒部１３が下方に移動するため、前記同様、ドレン本体部１の全体を下方向に押圧できるのである。
【００３８】
このように本発明の横引き排水ドレン装置Ａによれば、固定ネジ３を螺着するだけで、ドレン本体部１及び支持板２が、箱状樋Ｔの入隅部Ｔ３における縦壁Ｔ２だけでなく、底壁Ｔ１をも挟着して圧着することができ、箱状樋Ｔに溜まった水Ｗが漏れることを確実に防止できるのである。
【００３９】
又、図４（ｂ）は、排水管差込筒部１３の外周上部、及び、支持板２の挿通孔２１ａの内周上部に、箱状樋Ｔの縦壁Ｔ２の外方から内方に向けて上昇した傾斜部４１、４１’を有するテーパー凸部４、４’を各々設けたものを例示したものである。
【００４０】
このように本発明の横引き排水ドレン装置Ａによれば、排水管差込筒部１３の外周上部、及び、支持板２の挿通孔２１ａの内周上部の双方に、傾斜部４１、４１’を有するテーパー凸部４、４’を各々設けているので、ドレン本体部１の全体を下方向に更に強く押圧することができ、固定ネジ３を螺着するだけで、ドレン本体部１及び支持板２が、箱状樋Ｔの入隅部Ｔ３における縦壁Ｔ２だけでなく、底壁Ｔ１をも挟着して圧着して、箱状樋Ｔに溜まった水Ｗが漏れることを更に確実に防止できるのである。
【図面の簡単な説明】
【００４１】
【図１】本発明に係る横引き排水ドレン装置Ａの一実施例を示した分解斜視図である。
【図２】（ａ）、（ｂ）は、図１で示した横引き排水ドレン装置の取付け構造を示す縦断面図である。
【図３】（ｃ）、（ｄ）は、図１で示した横引き排水ドレン装置の取付け構造を示す縦断面図である。
【図４】（ａ）、（ｂ）は、本発明に係る横引き排水ドレン装置Ａの他の実施例を示した取付け構造を示す縦断面図である。
【図５】従来の横引き排水ドレン装置２００を示す分解斜視図である。
【図６】（ａ）、（ｂ）は、図６で示した横引き排水ドレン装置２００の取付け構造を示す縦断面図である。
【図７】（ｃ）、（ｄ）は、図６で示した横引き排水ドレン装置２００の取付け構造を示す縦断面図である。
【符号の説明】
【００４２】
Ａ    横引き排水ドレン装置
Ｔ１  底壁
Ｔ２  縦壁
Ｔ３  入隅部
Ｈ    排水用取付孔
１    ドレン本体部
１１  縦片
１２  排水孔
１３  排水管差込筒部
１３ａ  ネジ部
２    支持板
２１  縦片部
２１ａ  挿通孔
２２  鍔部
３    固定ネジ
４    テーパー凸部
４１  傾斜部
【図１】
0004922981.tif 000002
【図２】
0004922981.tif 000003
【図３】
0004922981.tif 000004
【図４】
0004922981.tif 000005
【図５】
0004922981.tif 000006
【図６】
0004922981.tif 000007
【図７】
0004922981.tif 000008